(57)【要約】【課題】加熱調理装置よりも高い位置から報知することにより、使用者にとって認識し易い報知を行うことができる調理システムを提供する。【解決手段】加熱による調理を行う加熱調理装置１と、使用者に対する報知を行う報知装置とを備える。加熱調理装置１は、使用者に報知すべき状態となったとき、報知内容を示す信号を送信する送信部１２を備える。報知装置は、加熱調理装置１の送信部１２から送信される信号を受信する受信部１８と、使用者に対する知覚情報を発して報知を行う報知部１５，１７と、受信部１８が受信した信号に基づいて報知部１５，１７を制御する報知制御部２１とを備え、加熱調理装置１の上方に離間して設置されている。【選択図】図１
2019056507.tif 000002
【特許請求の範囲】
【請求項１】
加熱による調理を行う加熱調理装置と、使用者に対する報知を行う報知装置とを備え、
前記加熱調理装置は、使用者に報知すべき状態となったとき、報知内容を示す信号を送信する送信部を備え、
前記報知装置は、前記加熱調理装置の前記送信部から送信される信号を受信する受信部と、使用者に対する知覚情報を発して報知を行う報知部と、前記受信部が受信した信号に基づいて前記報知部を制御する報知制御部とを備えて前記加熱調理装置の上方に離間して設置されていることを特徴とする調理システム。
【請求項２】
請求項１の調理システムであって、前記加熱調理装置の上方に設置されて換気を行う換気装置を備えるものにおいて、
前記報知装置は、前記換気装置に設けられていることを特徴とする調理システム。
【請求項３】
請求項１又は２記載の調理システムにおいて、
前記報知装置の前記報知部は、使用者に対する知覚情報としての複数種の音を選択的に発生させる音発生手段を備え、
前記報知制御部は、前記受信部の受信信号が示す報知内容に応じて、予め設定された音による報知を前記報知部に指示することを特徴とする調理システム。
【請求項４】
請求項１〜３の何れか１項記載の調理システムにおいて、
前記報知部は、使用者に対する知覚情報としての複数の発光色を選択的に用いて報知する発光手段を備え、
前記報知制御部は、前記受信部の受信信号が示す報知内容に応じて、予め設定された発光色による報知を前記報知部に指示することを特徴とする調理システム。
【請求項５】
請求項４記載の調理システムにおいて、
前記報知部の前記発光手段は、使用者に対する知覚情報としての複数種の発光パターンを選択的に用いて報知可能とされ、
前記報知制御部は、前記受信部の受信信号が示す報知内容に応じて、予め設定された発光パターンによる報知を前記報知部に指示することを特徴とする調理システム。
【発明の詳細な説明】
【技術分野】
【０００１】
本発明は、天板上の調理容器を加熱して調理運転を行うコンロを備える調理システムに関する。
【背景技術】
【０００２】
加熱調理装置としてコンロを挙げると、従来、コンロの調理運転においてエラー等の情報を使用者に向けて報知する場合に、コンロの筐体の内部に収容されたスピーカーから音声等の報知音を発生させるようにしたものが知られている（例えば、下記特許文献１参照）。
【０００３】
また、それ以外には、コンロの筐体の内部からブザー音を発生させるだけでなく、筐体の前面パネルに設けられている表示画面にエラーコード等を表示させることにより、報知の内容を把握できるようにしたものが知られている（例えば、下記特許文献２参照）。
【先行技術文献】
【特許文献】
【０００４】
【特許文献１】特開２００６−３３１７７０号公報
【特許文献２】特開平９−７９５８３号公報
【発明の概要】
【発明が解決しようとする課題】
【０００５】
しかし、上記従来のように、コンロの筐体内部に報知用のスピーカーを設ける場合には、コンロが有する加熱手段からの熱の影響を避けてスピーカーを収容する必要がある。このため、スピーカーを収容するために確保可能なスペースは比較的狭く、スピーカーの向きが制約を受ける等の不都合がある。
【０００６】
しかも、コンロの筐体の奥まった内部にスピーカーを取り付けた場合には、例えばスピーカーから発する音声が使用者にとって聞き取り難く、報知内容が使用者に伝わらないおそれがある。
【０００７】
また、上記従来のように、前面パネルに表示する等の報知を行う場合には、使用者の視野から外れた場合に確認が困難となる。更に、コンロ等の加熱調理装置は各種操作や調理のし易さから比較的低い位置（使用者の腹部位置程度の高さ）に設けられるため、視認性が悪い。
【０００８】
上記の点に鑑み、本発明は、加熱調理装置よりも高い位置から報知することにより、使用者にとって認識し易い報知を行うことができる調理システムを提供することを目的とする。
【課題を解決するための手段】
【０００９】
かかる目的を達成するために、本発明は、加熱による調理を行う加熱調理装置と、使用者に対する報知を行う報知装置とを備え、前記加熱調理装置は、使用者に報知すべき状態となったとき、報知内容を示す信号を送信する送信部を備え、前記報知装置は、前記加熱調理装置の前記送信部から送信される信号を受信する受信部と、使用者に対する知覚情報を発して報知を行う報知部と、前記受信部が受信した信号に基づいて前記報知部を制御する報知制御部とを備えて前記加熱調理装置の上方に離間して設置されていることを特徴とする。
【００１０】
加熱調理装置として例えばガスコンロ、ＩＨコンロ、オーブン等を挙げることができる。使用者に対する知覚情報として、例えば、聴覚に作用する情報（ブザー音、メロディー音、音声等）や視覚に作用する情報（光の強度、光の色、明暗等）を挙げることができる。
【００１１】
本発明によれば、報知装置が加熱調理装置の上方に離間して設置されているので、比較的高い位置から知覚情報による報知が行われる。例えばコンロ等の加熱調理装置は、通常は使用者が調理しやすい手元位置にあるのに対し、このときの報知は、加熱調理装置の位置に比べて使用者の目や耳に近い位置で行われる。よって、使用者にとって報知を認識する確実性が向上する。
【００１２】
また、本発明において、調理システムが前記加熱調理装置の上方に設置されて換気を行う換気装置を備えている場合には、前記報知装置を、前記換気装置に設けることが好ましい。換気装置は加熱調理装置の上方に位置している。このような換気装置に報知装置を設けることにより、報知装置を比較的高い位置に配置することが容易となる。
【００１３】
また、本発明において、前記報知装置の前記報知部は、使用者に対する知覚情報としての複数種の音を選択的に発生させる音発生手段を備え、前記報知制御部は、前記受信部の受信信号が示す報知内容に応じて、予め設定された音による報知を前記報知部に指示することを特徴とする。
【００１４】
本発明によれば、加熱調理装置の位置に比べて、使用者の耳に近い位置から音を発生させて報知することができる。よって、使用者は確実に報知を確認することができる。
【００１５】
また、本発明において、前記報知部は、使用者に対する知覚情報としての複数の発光色を選択的に用いて報知する発光手段を備え、前記報知制御部は、前記受信部の受信信号が示す報知内容に応じて、予め設定された発光色による報知を前記報知部に指示することを特徴とする。
【００１６】
本発明によれば、加熱調理装置の位置に比べて高い位置で、発光手段が報知内容に応じた色の光を発する。このとき加熱調理装置が、例えばコンロであるとき、報知内容に応じた色の比較的強い光を用いて、コンロの天板上に向かって照射することが考えられ、こうすることで、使用者がコンロの近傍に居るときは勿論、使用者がコンロから少し離れた位置に居る場合であっても、報知を確実に視認することができる。
【００１７】
しかも、この時の発光色を確認することで、使用者は加熱調理装置から少し離れた位置に居ても報知内容を容易に確認することができる。なお、この場合、音発生手段からの音と発光手段からの光とを同時に用いて報知を行ってもよい。
【００１８】
更に、前記報知部の前記発光手段においては、使用者に対する知覚情報としての複数種の発光パターンを選択的に用いて報知可能とされていてもよく、この場合には、前記報知制御部は、前記受信部の受信信号が示す報知内容に応じて、予め設定された発光パターンによる報知を前記報知部に指示することが好ましい。
【００１９】
発光手段による発光パターンとしては、連続点灯や間隔の異なる点滅が挙げられる。そして、同じ発光色であっても異なる発光パターンを用いることも可能となるだけでなく、光を用いた報知における視認性を一層向上させることができる。
【図面の簡単な説明】
【００２０】
【図１】調理システムの加熱調理装置と換気装置の設置状態を示す正面図。
【図２】換気装置の要部を示す斜視図。
【図３】図２の要部を拡大して示す斜視図。
【図４】報知制御部の構成を示すブロック図。
【図５】発光手段の制御の一例を示すフローチャート。
【発明を実施するための形態】
【００２１】
本発明の一実施形態を図面に基づいて説明する。本実施形態の調理システムは、図１に示すように、加熱調理装置であるガスコンロ１と、ガスコンロ１の上方位置に設けられた換気装置であるレンジフード２と、レンジフード２は、その内部に後述の報知装置を備えている。
【００２２】
ガスコンロ１は、コンロ筐体３と、コンロ筐体３の上面を覆う天板４とを備える。コンロ筐体３の内部には、加熱手段としてのコンロバーナ５と、各種制御を行う第１コントローラ６とが収容されている。
【００２３】
天板４上に露出するコンロバーナ５の周囲には五徳７が載置される。五徳７には鍋等の調理容器が載置される。
【００２４】
ガスコンロ１はコンロ筐体３の内部に図示されないグリル庫及びグリルバーナを備えている。コンロ筐体３の前面には、グリル庫に調理物を出し入れするグリル扉８が設けられている。
【００２５】
コンロ筐体３の前面のグリル扉８の両側の夫々には、操作パネル９が設けられている。操作パネル９には、コンロバーナ５の点火・消火や火力調節を行う操作つまみ１０や開閉部１１に収容される図示されない設定スイッチ等が設けられている。更に、操作パネル９には赤外線送信部１２が設けられている。
【００２６】
第１コントローラ６は、操作つまみ１０の操作や設定スイッチによる各種設定内容に応じてコンロバーナ５やグリルバーナの燃焼運転を制御する。また、第１コントローラ６は、ガスコンロ１の運転情報（燃焼の開始及び終了等）、使用者への報知情報（各モードの確認、グリルタイマのセット時間、エラー情報等）を赤外線送信部１２を介してレンジフード２へ送信するようになっている。
【００２７】
レンジフード２は、内部に図示しない換気扇を備え、換気扇の作動により、ガスコンロ１から発生する排気ガスや熱気を屋外に強制的に排出する。
【００２８】
図１及び図２に示すように、レンジフード２の前端面には換気強度や照明等の手動用スイッチ類が並ぶ操作部１３と、各種情報を表示する表示画面１４と、内蔵されているスピーカー１５（音発生手段）の音出口１６とが設けられている。
【００２９】
レンジフード２の前部下面には、図３に示すように、照明用の発光部１７（発光手段）と、赤外線受信部１８とが設けられている。発光部１７は、白色照明部１７ｗ、赤色照明部１７ｒ、黄色照明部１７ｙ、及び緑色照明部１７ｇを備えている。各照明部１７ｗ、１７ｒ、１７ｙ、１７ｇには、各発光色に対応する単色ＬＥＤ（図示しない）が採用されている。なお、本実施形態における本発明の報知部は、スピーカー１５と発光部１７とで構成される。
【００３０】
レンジフード２の内部には、第２コントローラ１９が設けられている。図４に示すように、第２コントローラ１９は、その機能として、換気運転制御部２０と報知制御部２１と受信内容判定部２２とを備えている。
【００３１】
本実施形態における本発明の報知装置は、赤外線受信部１８、報知制御部２１、スピーカー１５、発光部１７、及び表示画面１４で構成される。
【００３２】
換気運転制御部２０は、操作部１３での操作や赤外線受信部１８が受信したガスコンロ１の燃焼運転の開始・停止の情報に基づいて換気扇を作動させる。
【００３３】
即ち、ガスコンロ１のコンロバーナ５が点火されると、ガスコンロ１から赤外線送信部１２を介してコンロバーナ５の点火情報が送信される。このときの点火情報がレンジフード２の赤外線受信部１８を介して受信内容判定部２２に入力され、換気扇を作動させる情報であると判定すると、換気運転制御部２０が換気扇を作動させる。これにより、コンロバーナ５の点火に連動してレンジフード２による換気が開始される。
【００３４】
その後、ガスコンロ１のコンロバーナ５が消火されると、ガスコンロ１から赤外線送信部１２を介してコンロバーナ５の消火情報が送信される。レンジフード２側では、赤外線受信部１８が消火情報を受信すると、受信内容判定部２２が換気運転制御部２０に換気扇の停止を指示する。換気運転制御部２０は、受信内容判定部２２から換気扇の停止の指示を受けると、予め設定された遅延時間が経過するまで換気扇の作動を継続させ、上記の遅延時間が経過したところで、換気扇を停止させる。これにより、レンジフード２による換気は、コンロバーナ５の消火直後に生じた熱気や煙等の排出を確実に行ってから停止される。
【００３５】
報知制御部２１は、ガスコンロ１側で行われるべき各種の報知と同じ内容の報知をレンジフード２側で行うために設けられている。例えば、ガスコンロ１においては、部品の故障に関するエラー報知、過熱による自動消火の報知、タイマ終了による自動消火の報知等が挙げられる。これらの報知を、レンジフード２に設けられた報知制御部２１を介して実行する。レンジフード２側の報知は、知覚情報として有効な音（ブザー音、メロディ音、音声等が挙げられる）と光を用いて行われ、本実施形態においてはスピーカー１５による音声の出力と発光色の異なる照明部１７ｗ、１７ｒ、１７ｙ、１７ｇの点灯（又は点滅）により行われる。報知制御部２１は報知内容データを記憶する記憶部２３を備えている。
【００３６】
ガスコンロ１にエラーが生じると、ガスコンロ１から赤外線送信部１２を介してガスコンロ１のエラーに対応する報知情報が送信される。このときの報知情報がレンジフード２の赤外線受信部１８を介して受信内容判定部２２に入力され、報知情報であることが判定されると、受信された情報を報知制御部２１に渡す。
【００３７】
報知制御部２１は、受信内容判定部２２から渡された情報に対応する報知内容データを記憶部２３から読み出し、例えば、報知内容データが有する音声データによりスピーカー１５を駆動させる。これにより、レンジフード２の音出口１６を介して音声によるガスコンロ１に関する報知が行われる。
【００３８】
レンジフード２は、ガスコンロ１の上方に離間して設置されている。従って、レンジフード２の音出口１６から報知された音声は、ガスコンロ１よりも近い位置から使用者の耳に届く。これにより、使用者にとって認識し易い報知が行われるので、報知を聞き逃しを少なくすることができる。
【００３９】
また、報知制御部２１が、受信内容判定部２２から渡された情報に対応する報知内容データを記憶部２３から読み出したときに、報知内容データが照明部１７ｗ、１７ｒ、１７ｙ、１７ｇの点灯（又は点滅）を用いるものであった場合には、報知制御部２１は、報知内容に対応する色の照明によりガスコンロ１の天板４を照らす。これにより、いずれかの照明部１７ｗ、１７ｒ、１７ｙ、１７ｇの点灯（又は点滅）によるガスコンロ１に関する報知が行われる。ガスコンロ１で調理を行うときには天板４が必ず使用者の視野に入るので、天板４を照明部１７ｗ、１７ｒ、１７ｙ、１７ｇの点灯（又は点滅）で照らすことにより極めて目立つ報知が行える。
【００４０】
ここで、照明部１７ｗ、１７ｒ、１７ｙ、１７ｇを用いた報知について、図５を参照して具体的に示す。報知制御部２１は、ＳＴＥＰ１でガスコンロ１の電源ＯＮ情報を受けていないときは、ＳＴＥＰ２で全照明部１７ｗ、１７ｒ、１７ｙ、１７ｇを消灯させた状態とする。
【００４１】
報知制御部２１は、ＳＴＥＰ１でガスコンロ１の電源ＯＮ情報を受けると、ＳＴＥＰ３へ進み、部品故障のエラー情報を受けた場合は、ＳＴＥＰ４へ進んで赤色照明部１７ｒを点灯させる。この場合は、使用者に対して修理業者への連絡を促すために、手動による特殊な操作を行って解除させるまで、赤色照明部１７ｒの点灯（又は点滅）を継続させる。同時に、報知制御部２１は、表示画面１４にエラーコードを表示させる（図示省略）。
【００４２】
ＳＴＥＰ３で部品故障のエラー情報を受けていない場合には、ＳＴＥＰ５へ進む。報知制御部２１は、ＳＴＥＰ５でコンロバーナ５やグリルバーナの点火情報を受け取ると、ＳＴＥＰ６へ進んで白色照明部１７ｗを点灯させる。報知が不要の状態でガスコンロ１を用いて調理を行っているときは、ＳＴＥＰ１からＳＴＥＰ６のループによって白色照明部１７ｗの点灯が継続される。
【００４３】
報知制御部２１は、ＳＴＥＰ５でコンロバーナ５やグリルバーナの消火情報を受け取ると、ＳＴＥＰ７でタイマ終了による消火か否かを判断し、タイマ終了による消火である場合にはＳＴＥＰ８へ進んで緑色照明部１７ｇを点灯させる。
【００４４】
一方、ＳＴＥＰ７でタイマ終了による消火でない場合には、報知制御部２１は、ＳＴＥＰ９へ進む。ＳＴＥＰ９では、ガスコンロ１の安全機能の作動による消火と判断された場合にＳＴＥＰ１０へ進んで黄色照明部１７ｙを点灯（又は点滅）させる。なお、ガスコンロ１において安全機能が作動する状況としては、油調理や空炊き等に伴う過熱が生じたことによる自動消火やコンロバーナ５やグリルバーナの長時間消し忘れによる自動消火を挙げることができる。ＳＴＥＰ９でガスコンロ１の安全機能が作動したことによる消火と判断されない場合には、ＳＴＥＰ１へ戻る。
【００４５】
ＳＴＥＰ８又はＳＴＥＰ１０を実行した後には、ＳＴＥＰ１１へ進み、ガスコンロ１の操作つまみ１０が消火位置に戻す操作がされていたら、ＳＴＥＰ１へ戻り、ガスコンロ１の操作つまみ１０が消火位置に戻されていなかったら、ＳＴＥＰ１０へ進んで黄色照明部１７ｙを点灯（又は点滅）させる。なお、ＳＴＥＰ８とＳＴＥＰ１０とにおいては、操作つまみ１０が消火位置に戻すまでの待機時間として、一定時間（例えば数十秒〜数分、本実施形態においては１分）後にＳＴＥＰ１１へ進むように設定しておくことが好ましい。
【００４６】
本実施形態においては、白色照明部１７ｗ、赤色照明部１７ｒ、黄色照明部１７ｙ、及び緑色照明部１７ｇを並べて設けた発光部１７を挙げたが、これに限らず、多色ＬＥＤを用いて発光部１７を構成してもよい。
【００４７】
また、本実施形態においては、加熱調理装置としてガスコンロ１を備える調理システムを挙げて説明したが、本発明の調理システムはこれに限るものではなく、加熱調理装置としてＩＨコンロ、電熱コンロ、オーブン等を備えていてもよい。
【００４８】
また、本実施形態においては、ガスコンロ１の赤外線送信部１２と、レンジフード２の赤外線受信部１８との間で、赤外線による通信を行う例を示したが、ガスコンロ１とレンジフード２との通信は赤外線に限るものではなく、例えば、無線通信を採用してもよく、リード線による有線通信を採用してもよい。
【符号の説明】
【００４９】
１…ガスコンロ（加熱調理装置）、２…レンジフード（換気装置）、４…天板、１２…赤外線送信部（送信部）、１５…スピーカー（音発生手段）、１７…発光部（発光手段）、１８…赤外線受信部（受信部）、２１…報知制御部。
【図１】
2019056507.tif 000003
【図２】
2019056507.tif 000004
【図３】
2019056507.tif 000005
【図４】
2019056507.tif 000006
【図５】
2019056507.tif 000007